(57)【要約】【課題】半導体装置のオン損失等の特性を調整する。【解決手段】第１導電型のドリフト領域を有する半導体基板と、半導体基板において、半導体基板の上面とドリフト領域との間に形成された第２導電型のベース領域と、半導体基板において、半導体基板の上面とベース領域との間に設けられた第１導電型のエミッタ領域と、半導体基板の上面に形成され、エミッタ領域およびベース領域と接する第１ゲートトレンチ部と、半導体基板の上面に形成された第２ゲートトレンチ部と、第１ゲートトレンチ部と電気的に接続された第１電気素子と、第２ゲートトレンチ部と電気的に接続された第２電気素子とを備え、第２電気素子と第２ゲートトレンチ部とにより構成されるＲＣ回路の時定数が、第１電気素子と第１ゲートトレンチ部とにより構成されるＲＣ回路の時定数よりも大きい半導体装置を提供する。【選択図】図１
2018117025.tif 000002
【特許請求の範囲】
【請求項１】
第１導電型のドリフト領域を有する半導体基板と、
前記半導体基板において、前記半導体基板の上面と前記ドリフト領域との間に形成された第２導電型のベース領域と、
前記半導体基板において、前記半導体基板の上面と前記ベース領域との間に設けられた第１導電型のエミッタ領域と、
前記半導体基板の上面に形成され、前記エミッタ領域および前記ベース領域と接する第１ゲートトレンチ部と、
前記半導体基板の上面に形成された第２ゲートトレンチ部と、
前記第１ゲートトレンチ部と電気的に接続された第１電気素子と、
前記第２ゲートトレンチ部と電気的に接続された第２電気素子と
を備え、
前記第２電気素子と前記第２ゲートトレンチ部とにより構成されるＲＣ回路の時定数が、前記第１電気素子と前記第１ゲートトレンチ部とにより構成されるＲＣ回路の時定数よりも大きい半導体装置。
【請求項２】
前記第１ゲートトレンチ部に接して設けられた前記エミッタ領域は、前記第２ゲートトレンチ部に接する前記エミッタ領域と比べて、前記半導体基板の上面における面積が大きい
請求項１に記載の半導体装置。
【請求項３】
前記第２ゲートトレンチ部は、前記エミッタ領域に接触していない
請求項１に記載の半導体装置。
【請求項４】
前記第１電気素子は第１抵抗を有し、
前記第２電気素子は、前記第１抵抗より抵抗値の大きい第２抵抗を有する
請求項１から３のいずれか一項に記載の半導体装置。
【請求項５】
前記半導体基板の上方に形成されたゲートパッドと、
前記半導体基板の上方に形成され、前記ゲートパッドと前記第１ゲートトレンチ部とを電気的に接続する第１電気経路と、
前記半導体基板の上方に形成され、前記ゲートパッドと前記第２ゲートトレンチ部とを電気的に接続する第２電気経路と
を更に備え、
前記第１電気素子は前記第１電気経路に設けられ、
前記第２電気素子は前記第２電気経路に設けられる
請求項１から４のいずれか一項に記載の半導体装置。
【請求項６】
前記半導体基板を収容するパッケージ部と、
前記パッケージ部に収容され、前記第１ゲートトレンチ部および前記第２ゲートトレンチ部と電気的に接続する配線が設けられた配線基板と
を更に備え、
前記第１電気素子および前記第２電気素子は、前記配線基板に設けられる
請求項１から４のいずれか一項に記載の半導体装置。
【発明の詳細な説明】
【技術分野】
【０００１】
本発明は、半導体装置に関する。
【背景技術】
【０００２】
従来、絶縁ゲート型バイポーラトランジスタ（ＩＧＢＴ）等の半導体素子を含む半導体装置が知られている（例えば、特許文献１参照）。
特許文献１  特開２００６−２１０５４７号公報
【発明の概要】
【発明が解決しようとする課題】
【０００３】
半導体装置においては、オン損失（Ｅｏｎ）等の所定の特性において、所定の性能を有することが好ましい。
【課題を解決するための手段】
【０００４】
本発明の一つの態様においては、半導体装置を提供する。半導体装置は、半導体装置は、第１導電型のドリフト領域を有する半導体基板を備えてよい。半導体装置は、半導体基板において、半導体基板の上面とドリフト領域との間に形成された第２導電型のベース領域を備えてよい。半導体装置は、半導体基板において、半導体基板の上面とベース領域との間に設けられた第１導電型のエミッタ領域を備えてよい。半導体装置は、半導体基板の上面に形成され、エミッタ領域およびベース領域と接する第１ゲートトレンチ部を備えてよい。半導体装置は、半導体基板の上面に形成された第２ゲートトレンチ部を備えてよい。半導体装置は、第１ゲートトレンチ部と電気的に接続された第１電気素子を備えてよい。半導体装置は、第２ゲートトレンチ部と電気的に接続された第２電気素子を備えてよい。半導体装置は、第２電気素子と第２ゲートトレンチ部とにより構成されるＲＣ回路の時定数が、第１電気素子と第１ゲートトレンチ部とにより構成されるＲＣ回路の時定数よりも大きくてよい。
【０００５】
第１ゲートトレンチ部に接して設けられたエミッタ領域は、第２ゲートトレンチ部に接するエミッタ領域と比べて、半導体基板の上面における面積が大きくてよい。第２ゲートトレンチ部は、エミッタ領域に接触していなくてよい。
【０００６】
第１電気素子は第１抵抗を有してよい。第２電気素子は、第１抵抗より抵抗値の大きい第２抵抗を有してよい。
【０００７】
半導体装置は、半導体基板の上方に形成されたゲートパッドを備えてよい。半導体装置は、半導体基板の上方に形成され、ゲートパッドと第１ゲートトレンチ部とを電気的に接続する第１電気経路を備えてよい。半導体装置は、半導体基板の上方に形成され、ゲートパッドと第２ゲートトレンチ部とを電気的に接続する第２電気経路を備えてよい。第１電気素子は第１電気経路に設けられてよい。第２電気素子は第２電気経路に設けられてよい。
【０００８】
半導体装置は、半導体基板を収容するパッケージ部を備えてよい。半導体装置は、パッケージ部に収容され、第１ゲートトレンチ部および第２ゲートトレンチ部と電気的に接続する配線が設けられた配線基板を備えてよい。第１電気素子および第２電気素子は、配線基板に設けられてよい。
【０００９】
上記の発明の概要は、本発明の特徴の全てを列挙したものではない。これらの特徴群のサブコンビネーションも発明となりうる。
【図面の簡単な説明】
【００１０】
【図１】本発明の一つの実施形態に係る半導体装置１００の一例を示す図である。
【図２】図１におけるＡ−Ａ断面の一例を示す図である。
【図３】第１電気素子８１および第２電気素子８２の一例を示す上面図である。
【図４】図３におけるＢ−Ｂ断面の一例を示す。
【図５】図３におけるＣ−Ｃ断面の一例を示す。
【図６】半導体装置１００のターンオン時におけるコレクタ電流Ｉｃ１の波形の一例を示す図である。
【図７】半導体装置１００および比較例における、ＦＷＤのｄＶａｋ／ｄｔと、ＩＧＢＴのオン損失（Ｅｏｎ）との関係を示す図である。
【図８】他の実施形態に係る半導体装置２００の一例を示す上面図である。
【図９】図８におけるＤ−Ｄ断面を示す図である。
【図１０】他の実施形態に係る半導体装置３００の一例を示す断面図である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
本明細書においては半導体基板の深さ方向と平行な方向における一方の側を「上」、他方の側を「下」と称する。基板、層またはその他の部材の２つの主面のうち、一方の面を上面、他方の面を下面と称する。「上」、「下」の方向は、重力方向または半導体装置の実装時における方向を指すものではない。
【００１３】
本明細書では、適宜、Ｘ軸、Ｙ軸およびＺ軸の直交座標軸を用いて技術的事項を説明する。直交座標軸は、構成要素の相対位置を特定するに過ぎず、特定の方向を限定するものではない。例えば、Ｚ軸は地面に対する高さ方向を限定して示すものではない。本明細書では、Ｚ軸方向を上下方向とする。
【００１４】
本明細書においては「エミッタ」および「コレクタ」の用語を用いているが、半導体装置に含まれる素子はＩＧＢＴ等のトランジスタに限定されない。ＭＯＳＦＥＴ等のトランジスタにおける「ソース」および「ドレイン」も、本明細書における「エミッタ」および「コレクタ」の用語の範囲に含まれ得る。
【００１５】
各実施例においては、第１導電型をＮ型、第２導電型をＰ型とした例を示しているが、第１導電型をＰ型、第２導電型をＮ型としてもよい。この場合、各実施例における基板、層、領域等の導電型は、それぞれ逆の極性となる。
【００１６】
図１は、本発明の一つの実施形態に係る半導体装置１００の一例を示す図である。半導体装置１００は、半導体基板１０、第１電気素子８１および第２電気素子８２を備える。半導体装置１００は、第３電気素子８３を更に備えてもよい。半導体基板１０は、シリコン、炭化シリコンまたは窒化ガリウム等の半導体材料で形成された基板である。
【００１７】
半導体基板１０には、ＩＧＢＴ等の半導体素子が形成されている。図１においては、半導体基板１０の上面の一部と、第１電気素子８１、第２電気素子８２および第３電気素子８３を模式的に示している。半導体基板１０の上面とは、半導体基板１０において対向して設けられた２つの主面の一方を指す。本明細書における半導体基板１０の上面は、Ｘ−Ｙ面と平行な面である。
【００１８】
図１においては、半導体基板１０において半導体素子が形成された活性領域を部分的に示すが、半導体基板１０は、活性領域を囲んでエッジ終端部を有してよい。活性領域は、例えば半導体装置１００を動作させた場合に電流が流れる領域を指す。エッジ終端部は、半導体基板の上面近傍の電界集中を緩和する。エッジ終端部は、例えばガードリング、フィールドプレート、リサーフおよびこれらを組み合わせた構造を有する。
【００１９】
半導体基板１０は、第１導電型のドリフト領域１８を有する。図１に示すドリフト領域１８は、半導体基板１０の上面に露出する部分を有するが、ドリフト領域１８は、半導体基板１０の上面に露出していなくともよい。
【００２０】
半導体基板１０の上面には、第１ゲートトレンチ部３０および第２ゲートトレンチ部４０が形成されている。第１ゲートトレンチ部３０および第２ゲートトレンチ部４０は、半導体基板１０の上面から、半導体基板１０の内部まで形成された溝形状を有する。本例の第１ゲートトレンチ部３０および第２ゲートトレンチ部４０は、半導体基板１０の上面において、Ｘ軸方向に伸びる直線部分を有する。半導体基板１０の上面において、第１ゲートトレンチ部３０の１つ以上の直線部分と、第２ゲートトレンチ部４０の１つ以上の直線部分とが、Ｙ軸方向において交互に配置される。図１の例では、第１ゲートトレンチ部３０の直線部分と、第２ゲートトレンチ部４０の直線部分とが１つずつ交互に配置されている。
【００２１】
本明細書では、それぞれのトレンチ部に挟まれた半導体基板１０の領域を、メサ部７０と称する。図１の例では、各メサ部７０において、半導体基板１０の上面にドリフト領域１８が露出している。それぞれのメサ部７０には、第２導電型のベース領域１４および第１導電型のエミッタ領域１２が形成される。
【００２２】
図１の例では、それぞれのメサ部７０において、Ｘ軸方向においてベース領域１４およびエミッタ領域１２が離散的に配置されている。本例では、メサ部７０の上面のうち、ベース領域１４およびエミッタ領域１２が露出していない部分には、ドリフト領域１８が露出している。Ｙ軸方向において隣接するメサ部７０においては、ベース領域１４およびエミッタ領域１２が設けられているＸ軸上の位置が異なっていてよい。一例として、それぞれのメサ部７０においてベース領域１４が設けられるＸ軸上の位置は、隣接するメサ部７０において２つのベース領域１４が設けられるＸ軸上の位置の中央である。それぞれのメサ部７０において、ベース領域１４が設けられるＸ軸方向のピッチは同一であってよい。
【００２３】
ベース領域１４は、メサ部７０において半導体基板１０の上面に露出している。また、ベース領域１４は、第１ゲートトレンチ部３０に接して設けられる。ベース領域１４は、第２ゲートトレンチ部４０にも接していてよい。
【００２４】
エミッタ領域１２は、メサ部７０において半導体基板１０の上面に露出している。エミッタ領域１２は、第１ゲートトレンチ部３０に接して設けられる。本例のエミッタ領域１２は、第２ゲートトレンチ部４０には接していない。本例のエミッタ領域１２は、半導体基板１０の上面において、ベース領域１４および第１ゲートトレンチ部３０に囲まれている。
【００２５】
半導体基板１０の上面には、第１ゲートトレンチ部３０、第２ゲートトレンチ部４０、エミッタ領域１２、ベース領域１４およびドリフト領域１８を覆う層間絶縁膜が形成されている。層間絶縁膜の上には、ゲート電極およびエミッタ電極が設けられる。エミッタ電極は、層間絶縁膜に設けられたコンタクトホール１５を介して、エミッタ領域１２およびベース領域１４と電気的に接続する。ゲート電極も同様に、層間絶縁膜に設けられたコンタクトホールを介して、それぞれのゲートトレンチ部に電気的に接続してよい。
【００２６】
図２は、図１におけるＡ−Ａ断面の一例を示す図である。Ａ−Ａ断面は、Ｙ−Ｚ面と平行であり、且つ、いずれかのエミッタ領域１２を通る面である。本例の半導体基板１０は、Ｎ−型のドリフト領域１８を有する。
【００２７】
半導体基板１０において、半導体基板１０の上面１１とドリフト領域１８との間には、Ｐ−型のベース領域１４が形成される。上述したように、ベース領域１４は、メサ部７０において選択的に形成されてよい。ベース領域１４が形成されていない領域においては、半導体基板１０の上面１１にドリフト領域１８が露出している。当該断面では、ベース領域１４が上面に露出するメサ部７０と、ドリフト領域１８が上面に露出するメサ部７０とが交互に配置されている。
【００２８】
半導体基板１０において、半導体基板１０の上面１１とベース領域１４との間には、Ｎ＋型のエミッタ領域１２が形成されている。エミッタ領域１２の不純物濃度は、ドリフト領域１８の不純物濃度よりも高い。エミッタ領域１２は、ベース領域１４が設けられたメサ部７０において、第１ゲートトレンチ部３０と接しており、且つ、第２ゲートトレンチ部４０とは接していない。
【００２９】
半導体基板１０の上面には、層間絶縁膜２６が形成されている。層間絶縁膜２６は、例えばボロンおよびリンの少なくとも一方がドープされたシリケートガラスである。層間絶縁膜２６には、それぞれのベース領域１４およびエミッタ領域１２を露出させるコンタクトホール１５が設けられる。
【００３０】
層間絶縁膜２６の上には、エミッタ電極５２が形成されている。エミッタ電極５２は、コンタクトホール１５の内部にも充填される。これにより、エミッタ電極５２は、エミッタ領域１２およびベース領域１４と電気的に接続する。なお、ドリフト領域１８は、層間絶縁膜２６により覆われており、エミッタ電極５２とは電気的に接続されていない。
【００３１】
エミッタ電極５２は、金属を含む材料で形成される。例えば、エミッタ電極５２の少なくとも一部の領域はアルミニウムまたはアルミニウム‐シリコン合金で形成される。エミッタ電極５２は、アルミニウム等で形成された領域の下層にチタンまたはチタン化合物等で形成されたバリアメタルを有してよく、コンタクトホール１５内においてタングステン等で形成されたプラグを有してもよい。
【００３２】
半導体基板１０の下面側において、ドリフト領域１８と、半導体基板１０の下面との間には、Ｐ型のコレクタ領域２２が形成されている。コレクタ領域２２が形成されている場合、半導体装置１００はＩＧＢＴとして動作する。半導体基板１０の下面には、コレクタ電極２４が形成されている。コレクタ電極２４は、金属を含む材料で形成される。例えば、コレクタ電極２４の少なくとも一部の領域はアルミニウムまたはアルミニウム‐シリコン合金で形成される。
【００３３】
第１ゲートトレンチ部３０は、半導体基板１０の上面から、ベース領域１４の下端よりも深い位置まで形成される。第１ゲートトレンチ部３０の側壁は、エミッタ領域１２およびベース領域１４と接している。
【００３４】
第１ゲートトレンチ部３０は、トレンチの内壁を覆って形成されたゲート絶縁膜３２と、ゲート絶縁膜３２に囲まれたゲート導電部３４とを有する。ゲート絶縁膜３２は、ゲート導電部３４と、半導体基板１０とを絶縁する。ゲート絶縁膜３２は、例えばトレンチ内壁を酸化または窒化した酸化膜または窒化膜である。ゲート導電部３４は、例えば不純物がドープされたポリシリコンで形成される。
【００３５】
ゲート導電部３４は、Ｚ軸方向において、少なくともベース領域１４と対向する領域を含む。ゲート導電部３４に所定のゲート電圧が印加されることで、ベース領域１４のうち第１ゲートトレンチ部３０に接する界面の表層にチャネルが形成される。
【００３６】
第２ゲートトレンチ部４０は、半導体基板１０の上面から、所定の深さ位置まで形成される。第２ゲートトレンチ部４０は、第１ゲートトレンチ部３０と同一の構造、材料および大きさを有してよい。第２ゲートトレンチ部４０は、トレンチの内壁を覆って形成されたゲート絶縁膜４２と、ゲート絶縁膜４２に囲まれたゲート導電部４４とを有する。
【００３７】
第１電気素子８１は、第１ゲートトレンチ部３０のゲート導電部３４に電気的に接続される。第１電気素子８１は、ゲート導電部３４にゲート電圧を印加する電気経路に設けられる。第２電気素子８２は、第２ゲートトレンチ部４０のゲート導電部４４に電気的に接続される。第２電気素子８２は、ゲート導電部４４にゲート電圧を印加する電気経路に設けられる。第１電気素子８１および第２電気素子８２は、半導体基板１０に設けられてよく、半導体基板１０とは異なる基板に設けられてもよい。
【００３８】
本例の半導体装置１００は、第１電気素子８１および第２電気素子８２に対して共通に設けられる第３電気素子８３を有する。第３電気素子８３は、外部のゲートドライバユニット（ＧＤＵ）に電気的に接続される抵抗であってよい。ゲートドライバユニットは、第１電気素子８１、第２電気素子８２および第３電気素子８３を介して、それぞれのゲートトレンチ部に電圧および電流を印加する。
【００３９】
第１電気素子８１は、第１ゲートトレンチ部３０とＲＣ回路を構成し、所定の時定数を有する。第２電気素子８２は、第２ゲートトレンチ部４０とＲＣ回路を構成し、所定の時定数を有する。一例として、第１電気素子８１および第２電気素子８２は、抵抗およびキャパシタの少なくとも一方を含む。第２電気素子８２と第２ゲートトレンチ部４０とにより構成されるＲＣ回路の時定数は、第１電気素子８１と第１ゲートトレンチ部４０とにより構成されるＲＣ回路の時定数よりも大きい。これにより、半導体装置１００の特性を調整することができる。
【００４０】
一例として、ＩＧＢＴ等のスイッチング素子と、フリーホイールダイオード（ＦＷＤ）等の素子を並列に設けた回路を考える。当該回路は、電力変換回路等において用いられる。当該回路がスイッチング動作すると、ＥＭＣノイズが発生する場合がある。特に、ＦＷＤのアノード／カソード間電圧の時間変化ｄＶａｋ／ｄｔが大きいほど、ＥＭＣノイズは大きくなる。このため、ＥＭＣノイズを小さくしたい場合、ｄＶａｋ／ｄｔを小さくすることが好ましい。ＦＷＤのｄＶａｋ／ｄｔは、電力変換回路の対向アームにおけるスイッチング素子のゲート抵抗Ｒｇを大きくすることで、小さくできる。
【００４１】
一方で、スイッチング素子のゲート抵抗Ｒｇを大きくすると、スイッチング素子のオン損失（Ｅｏｎ）が増大する。つまり、ｄＶａｋ／ｄｔとＥｏｎとは、ゲート抵抗Ｒｇにより調整した場合にトレードオフの関係にある。
【００４２】
一般に、ＩＧＢＴをターンオンすると、コレクタ側からドリフト領域にホールが注入されて伝導度変調し、オン電圧を小さくできる。当該ホールの一部は、ゲートトレンチ部の側壁に蓄えられる。ホールがゲートトレンチ部の側壁近傍に蓄積されると、ゲート／エミッタ間電圧Ｖｇｅが上昇して、ターンオン時におけるコレクタ電流Ｉｃが急速に増大する。コレクタ電流Ｉｃが急速に増大すると、ＦＷＤのｄＶａｋ／ｄｔが大きくなってしまう。
【００４３】
半導体装置１００においては、エミッタ領域１２と接する第１ゲートトレンチ部３０には比較的にＲＣ回路の時定数が小さくなるような第１電気素子８１を接続し、エミッタ領域１２と接しない第２ゲートトレンチ部４０には比較的にＲＣ回路の時定数が大きくなるような第２電気素子８２を接続する。一例として、第１電気素子８１は第１抵抗を有し、第２電気素子８２は第１抵抗よりも抵抗値の大きい第２抵抗を有する。また、第１ゲートトレンチ部３０のトレンチ容量は、第２ゲートトレンチ部４０のトレンチ容量と略同じとする。第２抵抗の抵抗値は、第１抵抗の抵抗値の１０倍以上であってよく、２０倍以上であってもよい。
【００４４】
ＲＣ回路の時定数の違いにより、ターンオン時においては、第２ゲートトレンチ部４０のゲート導電部４４の電位は、第１ゲートトレンチ部３０のゲート導電部３４の電位よりも緩やかに上昇する。このため、第１ゲートトレンチ部３０よりも、第２ゲートトレンチ部４０の側壁近傍にホールが多く蓄積される。しかし、第２ゲートトレンチ部４０にはエミッタ領域１２が接していないので、第２ゲートトレンチ部４０におけるＶｇｅが上昇しても、コレクタ電流Ｉｃに影響を与えない。
【００４５】
従って、半導体装置１００によれば、ホールを蓄積して電子注入促進効果（ＩＥ効果）を生じさせて、オン損失を低減しつつ、コレクタ電流Ｉｃの急峻な変動を抑制できる。このため、ｄＶａｋ／ｄｔとＥｏｎとのトレードオフを改善することができる。なお、第２ゲートトレンチ部４０を用いることで、エミッタ電位を印加するダミートレンチを用いる場合に比べて、ＩＥ効果を高くできる。例えば、ゲート電位の第２ゲートトレンチ部４０を用いることで、ゲート絶縁膜４２を通過してトレンチ内のゲート導電部４４に抜ける正電荷のホールを減らすことができる。
【００４６】
図３は、第１電気素子８１および第２電気素子８２の一例を示す上面図である。図４は、図３におけるＢ−Ｂ断面の一例を示し、図５は、図３におけるＣ−Ｃ断面の一例を示す。図３は、半導体基板１０の上面における、各部材の配置例を示している。本例の第１電気素子８１および第２電気素子８２は、半導体基板１０の上面１１の上方に形成される。
【００４７】
本例の半導体装置１００は、ゲートパッド９４、第１電気経路６１および第２電気経路６２を、半導体基板１０の上方に有する。ゲートパッド９４は、アルミニウム等を含む金属で形成され、ゲート電圧が印加される。ゲートパッド９４は、ワイヤ等を含む配線により、外部のゲートドライバユニットに接続されてよい。
【００４８】
ゲートパッド９４、第１電気経路６１および第２電気経路６２は、層間絶縁膜２６等により、半導体基板１０と絶縁されている。ゲートパッド９４の下方には、接続部９０が配置されてよい。本例の接続部９０は、不純物がドープされたポリシリコンで形成される。ゲートパッド９４と接続部９０との間には、絶縁膜２８が設けられる。絶縁膜にはコンタクトホール９２が形成されており、コンタクトホール９２の内部にもゲートパッド９４が形成される。これにより、ゲートパッド９４と接続部９０とが電気的に接続される。
【００４９】
第１電気経路６１は、ゲートパッド９４と、第１ゲートトレンチ部３０のゲート導電部３４とを電気的に接続する。第１電気経路６１は、第１電気素子８１、接続部６４、金属配線６６および接続部６７を有する。本例の第１電気素子８１は、不純物がドープされたポリシリコンで形成されている。第１電気素子８１と半導体基板１０の上面１１との間には、層間絶縁膜２６が設けられてよい。第１電気素子８１の一方の端部は、接続部９０と接続されている。
【００５０】
第１電気素子８１の他方の端部は、接続部６４と接続される。本例の接続部６４は、不純物がドープされたポリシリコンで形成されている。接続部６４の上方には、金属配線６６の端部が設けられている。金属配線６６は、他の領域よりも幅の大きいパッド部６５を端部に有してよい。パッド部６５は、接続部６４の上方に配置される。
【００５１】
接続部６４とパッド部６５の間には、絶縁膜２８が設けられる。絶縁膜２８にはコンタクトホール６３が形成されており、コンタクトホール６３の内部にもパッド部６５が形成される。これにより、接続部６４とパッド部６５とが電気的に接続される。
【００５２】
金属配線６６は、接続部６４から、第１ゲートトレンチ部３０の上方まで形成される。本例では、複数の第１ゲートトレンチ部３０が、Ｙ軸方向に沿って配列される。それぞれの第１ゲートトレンチ部３０は、半導体基板１０の上面において環状に設けられてよい。一例として金属配線６６は、Ｙ軸方向に伸びて設けられ、複数の第１ゲートトレンチ部３０と接続される。
【００５３】
それぞれの第１ゲートトレンチ部３０と、金属配線６６との間には、接続部６７が設けられる。本例の接続部６７は、不純物がドープされたポリシリコンで形成されている。接続部６７は、層間絶縁膜２６に設けられたコンタクトホールを通って、第１ゲートトレンチ部３０のゲート導電部３４と接続される。接続部６７と、金属配線６６との間には、絶縁膜２８が設けられる。絶縁膜２８にはコンタクトホール６８が形成されており、コンタクトホール６８の内部にも金属配線６６が形成される。これにより、接続部６７と金属配線６６とが電気的に接続される。
【００５４】
第２電気経路６２は、ゲートパッド９４と、第２ゲートトレンチ部４０のゲート導電部４４とを電気的に接続する。第２電気経路６２は、第２電気素子８２、接続部６４、金属配線６６および接続部６７を有する。本例の第２電気素子８２は、不純物がドープされたポリシリコンで形成されている。第２電気素子８２と半導体基板１０の上面１１との間には、層間絶縁膜２６が設けられてよい。第２電気素子８２の一方の端部は、接続部９０と接続されている。
【００５５】
第２電気素子８２の抵抗値は、第１電気素子８１の抵抗値よりも大きい。本例では、接続部９０と接続部６４とを結ぶ直線と垂直なＹ−Ｚ面における断面積が、第２電気素子８２のほうが、第１電気素子８１よりも小さい。つまり第２電気素子８２は、Ｙ軸方向における幅と、Ｚ軸方向における厚みの少なくとも一方が、第１電気素子８１よりも小さい。
【００５６】
第２電気経路６２における、接続部６４、金属配線６６および接続部６７の構造は、第１電気経路６１における接続部６４、金属配線６６および接続部６７と同様である。ただし、接続部６７は、それぞれの第２ゲートトレンチ部４０の上方に設けられる。第２ゲートトレンチ部４０は、半導体基板１０の上面において、直線形状を有してよい。
【００５７】
第２電気素子８２の他方の端部は、接続部６４と接続される。接続部６４の上方には、金属配線６６の端部が設けられている。金属配線６６は、他の領域よりも幅の大きいパッド部６５を端部に有してよい。パッド部６５は、接続部６４の上方に配置される。
【００５８】
接続部６４とパッド部６５の間には、絶縁膜２８が設けられる。絶縁膜２８にはコンタクトホール６３が形成されており、コンタクトホール６３の内部にもパッド部６５が形成される。これにより、接続部６４とパッド部６５とが電気的に接続される。
【００５９】
金属配線６６は、接続部６４から、第２ゲートトレンチ部４０の上方まで形成される。本例では、複数の第２ゲートトレンチ部４０が、Ｙ軸方向に沿って配列される。一例として金属配線６６は、Ｙ軸方向に伸びて設けられ、複数の第２ゲートトレンチ部４０と接続される。
【００６０】
それぞれの第２ゲートトレンチ部４０と、金属配線６６との間には、接続部６７が設けられる。接続部６７は、層間絶縁膜２６に設けられたコンタクトホールを通って、第２ゲートトレンチ部４０のゲート導電部４４と接続される。接続部６７と、金属配線６６との間には、絶縁膜２８が設けられる。絶縁膜２８にはコンタクトホール６８が形成されており、コンタクトホール６８の内部にも金属配線６６が形成される。これにより、接続部６７と金属配線６６とが電気的に接続される。
【００６１】
半導体基板１０には、Ｘ軸方向における各ゲートトレンチ部の端部を囲むように、第２導電型のウェル領域１６が設けられる。これにより、各ゲートトレンチ部の端部における電界集中を緩和できる。また、ウェル領域１６は、ゲートパッド９４、第１電気経路６１および第２電気経路６２の下方にも形成されてよい。
【００６２】
なお、図３に示すように、第１電気経路６１の金属配線６６は、第１ゲートトレンチ部３０の上方に設けられてよい。一方で、第２電気経路６２の金属配線６６は、第２ゲートトレンチ部４０の上方には設けられなくともよい。この場合、第２電気経路６２は、金属配線６６から分岐して、第２ゲートトレンチ部４０の上方まで設けられた分岐配線６９を有する。分岐配線６９は、金属配線６６と同一材料で形成されてよい。
【００６３】
このような配置により、第２電気経路６２と、第１ゲートトレンチ部３０とを容易に絶縁できる。また、分岐配線６９を設けることで、第２電気経路６２の経路長が長くなり抵抗値が上昇するが、第２ゲートトレンチ部４０に接続される経路なので、抵抗値が上昇しても問題が生じない。
【００６４】
図６は、半導体装置１００のターンオン時におけるコレクタ電流Ｉｃ１の波形の一例を示す図である。また図７においては、比較例におけるコレクタ電流Ｉｃ２の波形を示す。比較例では、半導体装置１００における第２電気素子８２を第１電気素子８１に変更して、且つ、第２ゲートトレンチ部４０にもエミッタ領域１２およびベース領域１４が隣接して設けられる。
【００６５】
半導体装置１００においては、第２ゲートトレンチ部４０の近傍により多くのホールが蓄積し、第１ゲートトレンチ部３０の近傍に蓄積するホールが少なくなる。エミッタ領域１２に隣接する第１ゲートトレンチ部３０の近傍に蓄積するホールが、コレクタ電流Ｉｃの変動に影響を与えるので、半導体装置１００においては、ターンオン時におけるコレクタ電流Ｉｃの跳ね上がりを抑制できる。
【００６６】
図７は、半導体装置１００および比較例における、ＦＷＤのｄＶａｋ／ｄｔと、ＩＧＢＴのオン損失（Ｅｏｎ）との関係を示す図である。図７では、半導体装置１００の特性を実線で示し、比較例の特性を点線で示している。本例では、半導体装置１００における第１電気素子８１の抵抗値を３．５Ωとし、第２電気素子８２の抵抗値を１００Ωとした。また、比較例におけるゲート抵抗を３．５Ωとした。
【００６７】
図７に示すように、第２電気素子８２の抵抗値を、第１電気素子８１の抵抗値よりも大きくすることで、ｄＶａｋ／ｄｔと、Ｅｏｎとのトレードオフを改善できている。
【００６８】
図８は、他の実施形態に係る半導体装置２００の一例を示す上面図である。図９は、図８におけるＤ−Ｄ断面を示す図である。半導体装置２００においては、エミッタ領域１２、ベース領域１４およびドリフト領域１８の配置が、半導体装置１００とは異なる。他の構造は、半導体装置１００と同一であってよい。
【００６９】
半導体装置２００においては、第１ゲートトレンチ部３０および第２ゲートトレンチ部４０の両方に、エミッタ領域１２が接している。ただし、第１ゲートトレンチ部３０に接して設けられたエミッタ領域１２は、第２ゲートトレンチ部４０に接して設けられたエミッタ領域１２と比べて、半導体基板１０の上面における面積が大きい。このような構成によっても、コレクタ電流Ｉｃに対する影響が比較的に小さい第２ゲートトレンチ部４０に、比較的にＲＣ回路の時定数が大きくなる第２電気素子８２を接続することで、ｄＶａｋ／ｄｔと、Ｅｏｎとのトレードオフを改善できる。
【００７０】
一例として図８に示すように、それぞれのメサ部７０の、第１ゲートトレンチ部３０に隣接する領域には、エミッタ領域１２がストライプ状に連続して設けられている。一方で、それぞれのメサ部７０の、第２ゲートトレンチ部４０に隣接する領域には、エミッタ領域１２が離散的に設けられている。第２ゲートトレンチ部４０に隣接するエミッタ領域１２の総面積は、第１ゲートトレンチ部３０に隣接するエミッタ領域１２の総面積の半分以下であってよく、１／１０以下であってもよい。
【００７１】
図８および図９に示すように、それぞれのメサ部７０の上面には、ベース領域１４が形成されてよい。本例のドリフト領域１８は、半導体基板１０の上面に露出していない。
【００７２】
なお、半導体装置１００および半導体装置２００は、同一の半導体基板１０に、ＩＧＢＴとＦＷＤが形成されていてもよい。ＦＷＤは、エミッタ電位が印加されるダミートレンチ部を有する。ダミートレンチ部に挟まれるメサ部７０の上面には、ベース領域１４が形成される。
【００７３】
図１０は、他の実施形態に係る半導体装置３００の一例を示す断面図である。本例の半導体装置３００は、半導体モジュールである。半導体装置３００は、電力変換用の半導体モジュールであってよい。半導体装置３００は、インバータ装置、無停電電源装置、パワーコンディショナー、鉄道等の車両、工作機械、および、産業用ロボット等に用いることができるが、半導体装置３００の用途は上記に限定されない。
【００７４】
半導体装置３００は、１つ以上の半導体チップ３２０を搭載している。図１０に示した半導体装置３００は、複数の半導体チップ３２０を搭載している。半導体チップ３２０は、図１から図９に示した半導体装置１００または半導体装置２００と同一の構造を有してよい。半導体装置３００は、インバータ回路の上アーム部および下アーム部を搭載していてよい。それぞれのアーム部に、複数の半導体チップ３２０が含まれてよい。
【００７５】
それぞれの半導体チップ３２０は、樹脂等の絶縁材料で形成されたパッケージ部３１０に収容されている。パッケージ部３１０は、半導体チップ３２０が露出しないように封止している。
【００７６】
半導体チップ３２０は、銅等の導電材料で形成された板状の上側ベース部３１６の上に配置される。上側ベース部３１６は、半導体チップ３２０のいずれかの端子と電気的に接続されてよい。本例の上側ベース部３１６は、半導体チップ３２０のコレクタ電極２４に接続されている。上側ベース部３１６には、主外部接続ピン３４２が接続されている。主外部接続ピン３４２の上側ベース部３１６とは逆側の端部は、パッケージ部３１０の外部に露出している。
【００７７】
上側ベース部３１６は、絶縁基板３１４を挟んで板状の下側ベース部３１２の上に配置される。上側ベース部３１６、絶縁基板３１４および下側ベース部３１２は、パッケージ部３１０に収容されている。ただし、放熱効率を向上させるために、下側ベース部３１２の下面がパッケージ部３１０の下面に露出していてもよい。
【００７８】
半導体装置３００は、パッケージ部３１０に収容され、半導体チップ３２０と対向して配置された配線基板３１８を備える。配線基板３１８は、一例としてプリント基板である。配線基板３１８には、半導体装置３００の外部に設けられた回路と、半導体チップ３２０の端子とを電気的に接続する配線が形成されている。配線基板３１８は、第１ゲートトレンチ部３０に接続される配線と、第２ゲートトレンチ部４０に接続される配線とを含んでよい。
【００７９】
本例の配線基板３１８には、制御外部接続ピン３４１が接続されている。制御外部接続ピン３４１は、配線基板３１８を介して半導体チップ３２０のゲートパッド９４に接続される。制御外部接続ピン３４１の配線基板３１８とは逆側の端部は、パッケージ部３１０の外部に露出している。
【００８０】
なお、図１には制御外部接続ピン３４１および主外部接続ピン３４２を示しているが、半導体装置３００は、より多くの外部接続ピンを有してよい。一例として、配線基板３１８に一方の端部が接続され、他方の端部がパッケージ部３１０の外部に露出する主外部接続ピン３４２を有してもよい。当該主外部接続ピン３４２は、配線基板３１８を介して半導体チップ３２０の主端子に接続される。
【００８１】
半導体装置３００は、パッケージ部３１０に収容された複数の内部接続ピン３３０を備える。内部接続ピン３３０は、半導体チップ３２０と配線基板３１８との間に設けられ、半導体チップ３２０の端子と、配線基板３１８における配線とを電気的に接続する。複数の内部接続ピン３３０は、半導体チップ３２０のエミッタ電極５２に接続されるピンと、半導体チップ３２０のゲートパッド９４に接続されるピンとを含む。
【００８２】
なお、図３から図５に示した例においては、半導体チップに第１電気素子８１および第２電気素子８２が設けられていた。他の例においては、配線基板３１８に第１電気素子８１および第２電気素子８２が設けられてもよい。この場合、多様な第１電気素子８１および第２電気素子８２を容易に設けることができるので、第１電気素子８１と第１ゲートトレンチ部４０とにより構成されるＲＣ回路および第２電気素子８２と第２ゲートトレンチ部４０とにより構成されるＲＣ回路の時定数を容易に調整できる。また、第１ゲートトレンチ部３０に接続される内部接続ピン３３０と、第２ゲートトレンチ部４０に接続される内部接続ピン３３０との抵抗や容量が異なっていてもよい。この場合、内部接続ピン３３０が、第１電気素子８１および第２電気素子８２の少なくとも一部として機能する。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００８４】
１０・・・半導体基板、１１・・・上面、１２・・・エミッタ領域、１４・・・ベース領域、１５・・・コンタクトホール、１６・・・ウェル領域、１８・・・ドリフト領域、２２・・・コレクタ領域、２４・・・コレクタ電極、２６・・・層間絶縁膜、２８・・・絶縁膜、３０・・・第１ゲートトレンチ部、３２・・・ゲート絶縁膜、３４・・・ゲート導電部、４０・・・第２ゲートトレンチ部、４２・・・ゲート絶縁膜、４４・・・ゲート導電部、５２・・・エミッタ電極、６１・・・第１電気経路、６２・・・第２電気経路、６３・・・コンタクトホール、６４・・・接続部、６５・・・パッド部、６６・・・金属配線、６７・・・接続部、６８・・・コンタクトホール、６９・・・分岐配線、７０・・・メサ部、８１・・・第１電気素子、８２・・・第２電気素子、８３・・・第３電気素子、９０・・・接続部、９２・・・コンタクトホール、９４・・・ゲートパッド、１００・・・半導体装置、２００・・・半導体装置、３００・・・半導体装置、３１０・・・パッケージ部、３１２・・・下側ベース部、３１４・・・絶縁基板、３１６・・・上側ベース部、３１８・・・配線基板、３２０・・・半導体チップ、３３０・・・内部接続ピン、３４１・・・制御外部接続ピン、３４２・・・主外部接続ピン
【図１】
2018117025.tif 000003
【図２】
2018117025.tif 000004
【図３】
2018117025.tif 000005
【図４】
2018117025.tif 000006
【図５】
2018117025.tif 000007
【図６】
2018117025.tif 000008
【図７】
2018117025.tif 000009
【図８】
2018117025.tif 000010
【図９】
2018117025.tif 000011
【図１０】
2018117025.tif 000012